(57)【特許請求の範囲】
【請求項１】
ボイスコイルボビンと接合する内周部と、フレームと接合する外周部と、該内周部と該外周部とを連結する支持可動部とを備え、
該支持可動部が、複数の山部と谷部とを有するコルゲーション部と、該内周部と該コルゲーション部の最内周側の該山部もしくは該谷部との間に形成される内周傾斜部と、該外周部と該コルゲーション部の最外周側の該山部または該谷部との間に形成される外周傾斜部と、を含み、
該支持可動部の半径方向の断面形状が、該コルゲーション部の該中央部を規定する垂線に対して対称であり、
該内周傾斜部の内周側端部および該外周傾斜部の外周側端部が、平面状で同一の基準平面上に規定され、かつ、該内周傾斜部並びに該外周傾斜部が、該基準平面からのそれらの高さが該コルゲーション部に至るにつれて順次高くなる断面形状を有し、
該コルゲーション部の該山部および該谷部の該基準平面からの高さが、該コルゲーション部の中央部で最も高く、該内周傾斜部または該外周傾斜部に至るにつれて順次低くなる、
ダンパー。
【請求項２】
前記支持可動部の前記コルゲーション部の隣接する前記山部を結ぶ線により規定される山部稜線と、隣接する前記谷部を結ぶ線により規定される谷部稜線とが、前記基準平面に対して対称になるように該コルゲーション部が形成される、
請求項１に記載のダンパー。
【請求項３】
前記支持可動部の前記コルゲーション部の前記内周傾斜部および前記外周傾斜部が、前記山部稜線もしくは前記谷部稜線を延長した直線上に規定される、
請求項２に記載のダンパー。
【請求項４】
前記支持可動部の前記コルゲーション部の隣接する前記山部および前記谷部の離間距離が、該コルゲーション部の中央部付近で最も大きく、前記内周傾斜部また前記外周傾斜部に至るにつれて順次小さくなる、
請求項１から３のいずれかに記載のダンパー。
【請求項５】
前記内周部と、前記外周部とが、前記基準平面上に含まれる、
請求項１から４のいずれかに記載のダンパー。
【請求項６】
前記外周部が、前記外周傾斜部の外周側端部から延設されて、前記基準平面に含まれないフレームとの接合部に連結する連結部、を備える、
請求項１から４のいずれかに記載のダンパー。
【請求項７】
請求項１から６のいずれかに記載のダンパーを備えたスピーカー。
【発明の詳細な説明】
【技術分野】
【０００１】
本発明は、音響再生のためのスピーカーに用いるダンパー、およびこれを用いたスピーカーに関する。
【背景技術】
【０００２】
スピーカー用のダンパーは、振動板およびボイスコイルボビンを含む振動系を所定位置に支持し、かつ、良好に振動可能にするために、その内周部がボイスコイルボビンに接合し、その外周部がフレーム又は磁気回路等に接合し、支持可動部が内周部と外周部とを連結する。従来のダンパーでは、支持可動部を波形のコルゲーションとしたコルゲーションダンパーが多く使用され、綿糸、アラミド繊維糸等の織布にフェノール樹脂、メラミン樹脂等の樹脂を含浸したプリプレグを基材として、金型で加熱成型することにより製造される。スピーカーが円形振動板を備える場合には、ダンパーの内周部および外周部と、支持可動部のコルゲーションとは、同心円状に形成されることが多い。
【０００３】
コルゲーションダンパーの形状および材料などについては、小入力信号に対する振幅変位の直線性確保、および、大入力信号に対する振幅制限という、相反する性能が求められるので、従来から様々な検討がなされている。例えば、スティフネス対称性および振幅対称性を改善するために、山部と谷部とを有する複数のコルゲーションを含み、最外周部の山谷間ピッチがそれ以外の山谷間ピッチよりも大きく、最外周部の山部の高さが他の山部の高さよりも高く、最外周部の山部の半径が他の山部の半径よりも小さくされたダンパーがある（特許文献１）。また、ダンパーに同心円状に設けたコルゲーションの山の高さを半径方向に変化させ、その変化の割合がボイスコイル側ならびにフレーム側の両固定端より順に高くし、中間近傍が最も高くなるように形成したダンパーがある（特許文献２）。
【０００４】
【特許文献１】特許第３８３５２１１号公報  （第１図、第２図）
【特許文献２】実開昭５７−１８５２９７号公報  （第４図、第５図）
【０００５】
しかしながら、従来技術のダンパーでは、いずれも充分ではない。特に、特許文献２のようなコルゲーションの山の高さを半径方向に変化させて中間近傍が最も高くなるように形成したダンパーは、振幅変位の直線性確保においては有利であっても、必要な振幅が取りにくくなるという問題がある。また、振幅を確保しようすると、前後振幅の対称性の点で改善が両立しない場合があり、ダンパーの支持可動部を設計する上で、効率よく設計することが困難であるという問題がある。なお、前後振幅の前後とは、スピーカーの振動板が振動する場合に、ダンパーが取り付けられる側を後側とし、振動板が露出する側を前側としている。
【発明の開示】
【発明が解決しようとする課題】
【０００６】
本発明は、上記の従来技術が有する問題を解決するためになされたものであり、その目的は、ダンパーおよびこれを用いたスピーカーに関し、小入力信号に対する振幅変位の直線性確保、および、大入力信号に対する振幅制限という、相反する性能を両立させることができ、さらに前後振幅の対称性がよく、歪が少ないダンパーおよびスピーカーを提供することにある。
【課題を解決するための手段】
【０００７】
本発明のダンパーは、ボイスコイルボビンと接合する内周部と、フレームと接合する外周部と、内周部と外周部とを連結する支持可動部とを備え、支持可動部が、複数の山部と谷部とを有するコルゲーション部と、内周部とコルゲーション部の最内周側の山部もしくは谷部との間に形成される内周傾斜部と、外周部と該コルゲーション部の最外周側の山部または谷部との間に形成される外周傾斜部と、を含み、支持可動部の半径方向の断面形状が、コルゲーション部の中央部を規定する垂線に対して対称であり、内周傾斜部の内周側端部および外周傾斜部の外周側端部が、平面状で同一の基準平面上に規定され、かつ、内周傾斜部並びに外周傾斜部が、基準平面からのそれらの高さがコルゲーション部に至るにつれて順次高くなる断面形状を有し、コルゲーション部の山部および谷部の基準平面からの高さが、コルゲーション部の中央部で最も高く、内周傾斜部または外周傾斜部に至るにつれて順次低くなる。
【０００８】
好ましくは、本発明のダンパーは、支持可動部のコルゲーション部の隣接する山部を結ぶ線により規定される山部稜線と、隣接する谷部を結ぶ線により規定される谷部稜線とが、基準平面に対して対称になるようにコルゲーション部が形成される。
【０００９】
好ましくは、本発明のダンパーは、支持可動部のコルゲーション部の内周傾斜部および外周傾斜部が、山部稜線もしくは谷部稜線を延長した直線上に規定される。
【００１０】
好ましくは、本発明のダンパーは、支持可動部のコルゲーション部の隣接する山部および谷部の離間距離が、コルゲーション部の中央部付近で最も大きく、内周傾斜部また外周傾斜部に至るにつれて順次小さくなる。
【００１１】
また、好ましくは、本発明のダンパーは、内周部と、外周部とが、基準平面上に含まれる。
【００１２】
また、好ましくは、本発明のダンパーは、外周部が、外周傾斜部の外周側端部から延設されて、基準平面に含まれないフレームとの接合部に連結する連結部を備える。
【００１３】
また、好ましくは、本発明のスピーカーは、本発明のいずれかのダンパーを備える。
【００１４】
以下、本発明の作用について説明する。
【００１５】
本発明のダンパーは、支持可動部が複数の山部と谷部とを有するコルゲーション部を有するダンパーであって、ボイスコイルボビンと接合する内周部と、フレームと接合する外周部と、内周部と外周部とを連結する支持可動部とを備え、支持可動部は、コルゲーション部の他に内周傾斜部および外周傾斜部を含んでいる。ここで、半径方向の断面形状におけるコルゲーション部の両端を形成する内周傾斜部および外周傾斜部の端部が、平面状で同一の基準平面上に規定されているので、本発明のダンパーは、内周部と外周部とが、同一の基準平面上に含まれる場合には、いわゆる平ダンパーの形状を形成している。なお、本発明のダンパーは、その外周部が、外周傾斜部の外周側端部から延設されて、基準平面に含まれないフレームとの接合部に連結する連結部を備えているダンパーであってもよく、この連結部は、立ち上がりダンパーの立ち上がり部、もしくは、立ち下がりダンパーの立ち下がり部を形成する。
【００１６】
ここで、支持可動部のコルゲーション部の山部および谷部の基準平面からの高さ、つまり、コルゲーション部の山部および谷部を形成するロールのロール高が、コルゲーション部の中央部で最も高く、内周傾斜部または外周傾斜部に至るにつれて順次低くなる。したがって、本発明のダンパーは、振幅変位の直線性確保において有利であり、リニアリティの良い、歪が少ないダンパーが実現され、その結果、本発明のスピーカー用ダンパーを備えるスピーカーは、音質および耐久性に優れる。なお、コルゲーション部の中央部とは、半径方向の断面形状におけるコルゲーション部の両端点を結ぶ線分の垂直二等分線によって規定され、このコルゲーション部の中央部を規定する垂線は、コルゲーション部の断面形状の内周側および外周側の対称性の基準となる。
【００１７】
本発明のダンパーでは、内周部とコルゲーション部の最内周側の山部もしくは谷部との間に形成される内周傾斜部と、外周部とコルゲーション部の最外周側の山部または谷部との間に形成される外周傾斜部と、が、コルゲーション部の中央部を規定する垂線に対して対称である。コルゲーション部の山部および谷部の基準平面からの高さが、内周傾斜部または外周傾斜部に至るにつれて低くされているので、その結果、内周傾斜部が規定する内周傾斜角、ならびに、外周傾斜部が規定する外周傾斜角が、等しく、かつ、小さくされたダンパーが実現される。
【００１８】
本発明のダンパーの支持可動部の断面形状は、内周側および外周側に平坦部を有する平ダンパーに近い形状であるので、コルゲーション部の両端部に連結する内周傾斜部ならびに外周傾斜部の内周傾斜角、ならびに、外周傾斜角を、等しく、かつ、小さくすることで、前後振幅の対称性が改善される。好ましくは、支持可動部のコルゲーション部の隣接する山部を結ぶ線により規定される山部稜線と、隣接する谷部を結ぶ線により規定される谷部稜線とが、基準平面に対して対称になるようにコルゲーション部が形成されるので、振幅変位が大きくなった場合でも、前後振幅の対称性を確保することができる。なお、内周傾斜部および外周傾斜部は、山部稜線もしくは谷部稜線を延長した直線上に規定されていてもよい。
【００１９】
また、支持可動部のコルゲーション部の隣接する山部および谷部の離間距離、つまり、コルゲーション部のロール間ピッチを、コルゲーション部の中央部付近で最も大きく、内周傾斜部また外周傾斜部に至るにつれて順次小さくすることにより、振幅変位の直線性と、前後振幅の対称性とを両立させることができる。この場合には、山部および谷部の基準平面からの高さが最も高いコルゲーション部の中央部で、山部および谷部を連結する斜面の角度を小さく、すなわち、ロールをつなぐ斜面を寝かせることができるので、コルゲーション部の動きを滑らかにすることができる。したがって、振幅変位の直線性確保と、前後対称性の改善のみならず、大入力信号に対する振幅制限を実現できる。
【発明の効果】
【００２０】
本発明のダンパーは、小入力信号に対する振幅変位の直線性確保、および、大入力信号に対する振幅制限という、相反する性能を両立させることができ、さらに前後振幅の対称性がよく、歪が少ないダンパー、およびこれを用いたスピーカーを提供することができる。
【発明を実施するための最良の形態】
【００２１】
本発明のダンパーおよびこれを用いたスピーカーは、上記の本発明の目的を、ダンパーの支持可動部の半径方向の断面形状が、コルゲーション部の中央部を規定する垂線に対して対称であり、内周傾斜部の内周側端部および外周傾斜部の外周側端部が、平面状で同一の基準平面上に規定され、コルゲーション部の山部および谷部の基準平面からの高さが、コルゲーション部の中央部で最も高く、内周傾斜部または外周傾斜部に至るにつれて順次低くなるようにすることにより、実現した。
【００２２】
以下、本発明の好ましい実施形態によるダンパーおよびこれを用いたスピーカーについて説明するが、本発明はこれらの実施形態には限定されない。
【実施例１】
【００２３】
図１は、本発明の好ましい実施形態によるダンパー１を用いたスピーカー１０について説明する断面図であり、軸対称の左半分は省略して記載している。スピーカー１０は、ダンパー１と、磁気空隙を有する磁気回路１１と、磁気回路１１と連結するフレーム１２と、ボイスコイル１３が巻回されたボビン１４と、ボビン１４と連結する振動板１５と、振動板１５の外周端を振動可能に支持するエッジ１６と、を備える。ダンパー１は、ボイスコイル１３を磁気回路１１の磁気空隙に配置し、ボイスコイル１３、ボビン１４、振動板１５、および、エッジ１６とともに、スピーカーの振動系を構成する。ダンパー１は、ボイスコイル１３に流れる音声信号電流に応じて生じる駆動力によって、振動板１５が歪むことなく振動可能なように、ボビン１４を支持固定する。なお、本実施例のスピーカー１０は、口径１０ｃｍの外磁型磁気回路１１を備えるスピーカーである。
【００２４】
図２は、本実施例のダンパー１について説明する図である。図２（ａ）は、ダンパー１の半径方向の断面図であり、図２（ｂ）は、ダンパー１の荷重に対する変位特性を説明する特性図である。なお、変位特性のグラフは、前後対称性を確認しやすくするために、縦軸を変位の絶対値で表示し、負の変位量に対する荷重の値を折り返して表示している。これらのグラフでは、前方向（正の変位量）の場合と後ろ方向（負の変位量）の場合とで、重なり合うほど前後対称性が良く、ずれて重ならないほど前後対称性が良くないことを表している。
【００２５】
ダンパー１は、綿およびポリエステル繊維の複数の縦糸および横糸が概略直交する織布に、フェノール樹脂を含浸したプリプレグを基材とし、金型で加熱成型されて、内周および外周を切断されて形成されるダンパーである。ダンパー１は、ボビン１４と接合する接合部ならびに立ち下がり状の輪郭部を備える内周部２と、フレーム１２と接合する平面状の接合部ならびに立ち上がり状の輪郭部を備える外周部３と、内周部２と外周部３とを連結する支持可動部４とを備える。内周部２および外周部３の接合部は、接着剤が塗布されて固定される部分である。また、支持可動部４は、複数の山部と谷部とを有するコルゲーション部６と、内周部２とコルゲーション部６の最内周側の山部６ａｉとの間に形成される内周傾斜部８と、外周部３とコルゲーション部６の最外周側の山部６ａｏとの間に形成される外周傾斜部９と、を含む。
【００２６】
支持可動部４の内周傾斜部８の内周側端部５と、外周傾斜部９の外周側端部７とは、平面状で同一の仮想の基準平面４ａ上に規定されている。また、内周部２と外周部３とも、基準平面４ａ上に規定されている。つまり、本実施例のダンパー１は、前側（図示した断面形状において上側）へ凸状のロールである山部６ａが５個出現し、一方、前側からみて凹状のロールである谷部６ｂが４個出現するコルゲーションを備え、内周部２および外周部３と、コルゲーション部６と、内周傾斜部８の内周側端部５と、外周傾斜部９の外周側端部７と、が平坦な関係になる平ダンパーである。本実施例のダンパー１の寸法は、内周部２の内径φＡが約３９ｍｍ、外周部３の外径φＢが約７９ｍｍ、内周傾斜部８の内径が約φ４４ｍｍ、外周傾斜部９の外径が約φ７４ｍｍ、コルゲーション部６の内径が約φ４７ｍｍ、コルゲーション部６の外径が約φ７１ｍｍ、である。
【００２７】
ダンパー１において、コルゲーション部６のそれぞれの山部６ａおよび谷部６ｂの基準平面４ａからの高さは、半径方向に約−０．６５ｍｍ〜＋０．８１ｍｍの間で変化し、コルゲーション部６の中央部で最も高く、内周傾斜部８または外周傾斜部９に至るにつれて順次低くなるように形成されている。つまり、ダンパー１は、コルゲーション部６の半径方向の断面形状において、５個の山部６ａと、４個の谷部６ｂを形成するそれぞれのロールのロール高が、コルゲーション部６の中央部で０．８１ｍｍと最も高く、内周平坦部５または外周平坦部７に至るにつれて、０．６５ｍｍ、０．４９ｍｍ、０．３２ｍｍ、０．１６ｍｍ、と順次低くなる。なお、谷部６ｂの基準平面４ａからの高さとは、基準平面４ａから見た谷部６ｂの深さを含み、絶対値で表示している。
【００２８】
また、ダンパー１は、内周傾斜部８と、外周傾斜部９と、が、コルゲーション部６の中央部を規定する垂線６ｃに対して対称である。内周傾斜部８が規定する内周傾斜角８δ、ならびに、外周傾斜部９が規定する外周傾斜角９δとは、基準平面４ａと内周傾斜部８もしくは外周傾斜部９とが交わる角度であり、それぞれ約６．１度と等しく、かつ、小さな角度になっている。垂線６ｃは、コルゲーション部６の両端点（それぞれ内周傾斜部８の外周側端部と、外周傾斜部９の内周側端部との接合点）を結ぶ線分の垂直二等分線である。加えて、コルゲーション部６の隣接する山部６ａを結ぶ線により規定される山部稜線６ｒａと、隣接する谷部６ｂを結ぶ線により規定される谷部稜線６ｒｂとが、基準平面４ａを含む水平線に対して前後方向に対称になるように形成されている。山部稜線６ｒａおよび谷部稜線６ｒｂは、ダンパー１の形状を設計する際の補助線とする直線であり、コルゲーション部６の内周傾斜部８および外周傾斜部９は、山部稜線６ｒａを延長した直線上にそれぞれ規定されている。なお、本実施例のダンパー１では、コルゲーション部６の隣接する山部６ａおよび谷部６ｂの離間距離ｐ１は約１．５ｍｍであり、いずれの隣接する山部６ａおよび谷部６ｂの間でも等しい。
【００２９】
また、図３は、比較例１のダンパー２１を説明する図である。図３（ａ）は、ダンパー２１の半径方向の断面図であり、図３（ｂ）は、ダンパー２１の荷重に対する変位特性を説明する特性図である。比較例１のダンパー２１は、本実施例のダンパー１と、ほぼ同一形状寸法の内周部２２および外周部２３を備え、支持可動部２４のコルゲーション部２６の形状が異なる比較例である。具体的には、比較例１のダンパー２１のコルゲーション部２６は、半径方向の断面形状において、５個の山部２６ａと、４個の谷部２６ｂを形成するそれぞれのロールのロール高が、変化せずに一定の高さ（約０．５ｍｍ）で統一されている。なお、実施例と比較例では、コルゲーション部６の形状以外の条件は、ほぼ同一であるが、比較例のダンパー２１の場合には、最内周側の山部２６ａｉと最外周側の山部２６ａｏの基準平面４ａからの高さが低くなっていないので、実施例１における内周傾斜部８が規定する内周傾斜角８δ、ならびに、外周傾斜部９が規定する外周傾斜角９δに相当する角度は、約３６．９度と大きな角度になっている。
【００３０】
本実施例のダンパー１は、コルゲーション部６のそれぞれの山部６ａおよび谷部６ｂの基準平面４ａからの高さが、コルゲーション部６の中央部で最も高く、内周傾斜部８または外周傾斜部９に至るにつれて順次低くなるように形成されていること、さらに、内周傾斜角８δおよび外周傾斜角９δが小さな角度に設定されていることにより、荷重が少ない場合には比較例１の場合よりも変位が大きくなり、振幅変位の直線性が改善されるとともに、荷重が大きい場合にも、比較例１よりも前後対称性が改善される。したがって、本実施例のダンパー１を用いたスピーカー１０は、内周部２と接合するボビン１４を含む振動系の振動が改善され、音質および耐久性に優れるスピーカーとなる。特に、大きな音声信号電流が加わって、スピーカー振動板が大きく変位する場合に、前後対称性が改善されているので、高調波歪における２次歪に代表される偶数次歪を大きく低減することができる。
【実施例２】
【００３１】
図４は、他の実施例のダンパー３１について説明する図である。図４（ａ）は、ダンパー３１の半径方向の断面図であり、図４（ｂ）は、ダンパー３１の荷重に対する変位特性を説明する特性図である。ダンパー３１は、織布に樹脂を含浸したプリプレグを基材として加熱成型される点において先の実施例１のダンパー１と共通し、内周部３２と、外周部３３とを連結する支持可動部３４とを備え、支持可動部３４のコルゲーション部３６が、中央部で最も高く、内周傾斜部３８または外周傾斜部３９に至るにつれて順次低くなるように形成されている基本的な構造が同じであることでも共通するので、共通する部分の説明は省略する。
【００３２】
本実施例のダンパー３１は、前側（図示した断面形状において上側）へ凸状のロールである山部３６ａが６個出現し、一方、前側からみて凹状のロールである谷部３６ｂが５個出現するコルゲーションを備え、内周部３２と、外周部３３と、内周傾斜部３８の内周側端部３５と、外周傾斜部３９の外周側端部３７と、が同一の基準平面３４ａ上にあるという平坦な関係になる平ダンパーである。先の実施例１の場合よりも凸状のロールの数が一つ増加しているので、コルゲーション部３６の中央部を規定する垂線３６ｃに対応するロールは、実施例１のような山部３６ａではなく、谷部３６ｂになっている。また、本実施例のダンパー３１の寸法は、内周部３２の内径φＡが約３９ｍｍ、外周部３３の外径φＢが約７９ｍｍ、内周傾斜部３８の内径が約φ４２ｍｍ、外周傾斜部３９の外径が約φ７５．６ｍｍ、コルゲーション部３６の内径が約φ４２．８ｍｍ、コルゲーション部３６の外径が約φ７４．８ｍｍ、である。また、コルゲーション部３６の半径方向の断面形状において、それぞれのロールのロール高は、コルゲーション部３６の中央部で１．３２ｍｍと最も高く、内周平坦部３５または外周平坦部３７に至るにつれて、１．１ｍｍ、０．８８ｍｍ、０．６６ｍｍ、０．４４ｍｍ、０．２２ｍｍ、と順次低くなる。
【００３３】
本実施例のダンパー３１では、コルゲーション部３６の隣接する山部３６ａおよび谷部３６ｂの離間距離ｐ１は約１．４ｍｍであり、先の実施例１のダンパー１と同様に、いずれの隣接する山部３６ａおよび谷部３６ｂの間でも等しく、一定である。ダンパー３１の形状を設計する際の補助線である山部稜線３６ｒａおよび谷部稜線３６ｒｂは、本実施例のダンパー３１では直線であり、基準平面３４ａを含む水平線に対して前後方向に対称である。また、コルゲーション部３６の内周傾斜部３８および外周傾斜部３９は、山部稜線３６ｒａを延長した直線上にそれぞれ規定されて、半径方向の垂線３６ｃに対して対称な関係になっている。
【００３４】
図４（ｂ）の変位特性図に示すように、実施例のダンパー３１は、振幅変位が約５ｍｍ程度までは良好な直線性を保ち、振幅変位が５ｍｍを超えて大きく変位する場合には、緩やかに振幅制限しつつ、変位量を確保している。また、振幅変位が５ｍｍを超えて１５ｍｍまでに至るような荷重が極めて大きい場合にも、前後対称性を良好に保つことができるので、ダンパー３１を用いた（図示しない）スピーカーは、大きな音声信号電流が加わって、スピーカー振動板が大きく変位する場合であっても、高調波歪のうち２次歪に代表される偶数次歪を小さく抑制することができる。
【実施例３】
【００３５】
図５は、他の実施例のダンパー４１について説明する図である。図５（ａ）は、ダンパー４１の半径方向の断面図であり、図５（ｂ）は、ダンパー４１の荷重に対する変位特性を説明する特性図である。さらに、図６は、他の実施例のダンパー５１について説明する図である。図６（ａ）は、ダンパー５１の半径方向の断面図であり、図６（ｂ）は、ダンパー５１の荷重に対する変位特性を説明する特性図である。ダンパー４１および５１は、前側（図示した断面形状において上側）へ凸状のロールである山部が６個出現し、一方、前側からみて凹状のロールである谷部が５個出現するコルゲーションを備える点で先の実施例のダンパー３１と共通するものの、コルゲーション部の隣接する山部および谷部の離間距離が一定ではなく、コルゲーション部の中央部付近で最も大きく、内周傾斜部また外周傾斜部に至るにつれて順次小さくなっている。
【００３６】
具体的には、ダンパー４１では、コルゲーション部４６の両端点を結ぶ線分の垂直二等分線である垂線４６ｃに対応する最も高いロール（谷部４６ｂ）からみると、隣接する山部４６ａとの離間距離（ロール間ピッチ）が約１．９ｍｍであるのに対して、次の隣接する谷部４６ｂとの離間距離が約１．７ｍｍになっている。コルゲーション部４６のロール間ピッチは、さらに続いて、約１．５ｍｍ、約１．３ｍｍ、約１．１ｍｍと、コルゲーション４６部の中央部付近で最も大きく、内周傾斜部４８また外周傾斜部４９に至るにつれて順次小さくなっている。この結果、コルゲーション部４６の中央部付近で、山部４６ａおよび谷部４６ｂのロールをつなぐ斜面を寝かせることができるので、本実施例のダンパー４１は、コルゲーション部４６の動きが滑らかになり、図６（ｂ）に示すように、先の実施例のダンパー３１の場合に比べて、さらに振幅変位の直線性を改善することができる。
【００３７】
なお、ダンパー４１の形状を設計する際の補助線である山部稜線４６ｒａおよび谷部稜線４６ｒｂは、ロール間ピッチが一定でないために、折り曲がった線になっているが、基準平面４４ａを含む水平線に対して前後方向に対称であることに変わりはない。また、コルゲーション部４６の内周傾斜部４８および外周傾斜部４９は、山部稜線４６ｒａを延長した直線上にそれぞれ規定されて、半径方向の垂線４６ｃに対して対称な関係になっていることも、先の実施例と同様である。
【００３８】
また、ダンパー５１は、先のダンパー４１のロール間ピッチの設計が異なる仕様であり、コルゲーション部５６の両端点を結ぶ線分の垂直二等分線である垂線５６ｃに対応する最も高いロール（谷部５６ｂ）からみると、隣接する山部５６ａとの離間距離（ロール間ピッチ）が約２．４ｍｍであるのに対して、次の隣接する谷部４６ｂとの離間距離が約２．０ｍｍになっており、さらに続いて、約１．６ｍｍ、約１．２ｍｍ、約０．８ｍｍと、コルゲーション５６部の中央部付近で最も大きく、内周傾斜部５８また外周傾斜部５９に至るにつれて順次小さくなっている。先の実施例のダンパー３１の場合、ならびに、先の実施例のダンパー４１の場合に比べて、コルゲーション部５６の中央部付近で隣接する山部５６ａおよび谷部５６ｂの離間距離（ロール間ピッチ）をさらに大きく取ることで、振幅変位の直線性確保のみならず、大入力信号に対する振幅制限を調整することができる。
【００３９】
さらに、ダンパー５１の形状を設計する際の補助線である山部稜線５６ｒａおよび谷部稜線５６ｒｂも、ロール間ピッチが一定でないために、折り曲がった線になっている。ただし、基準平面５４ａを含む水平線に対して前後方向に対称であることに変更はない。また、コルゲーション部５６の内周傾斜部５８および外周傾斜部５９は、山部稜線５６ｒａの両端の線分を延長した直線上にそれぞれ規定されて、半径方向の垂線５６ｃに対して対称な関係になっていることも、先の実施例と同様である。ダンパー５１のようにコルゲーション部５６の中央部付近でロール間ピッチを大きく取って、最内周側の山部と最外周側の山部の基準平面５４ａからの高さが高くなりがちであっても、内周傾斜部５８が規定する内周傾斜角５８δ、ならびに、外周傾斜部５９が規定する外周傾斜角５９δは、それぞれ約３６．２度以下の小さな角度になっていれば、良好な前後対称性を確保できる。
【実施例４】
【００４０】
図７は、他の実施例のダンパー６１、７１、および、８１について説明する図である。図７（ａ）は、ダンパー６１の半径方向の断面図であり、図７（ｂ）は、ダンパー７１の半径方向の断面図であり、図７（ｃ）は、ダンパー８１の半径方向の断面図である。ダンパー６１、７１、および８１は、前側（図示した断面形状において上側）へ凸状のロールである山部が４個出現し、一方、前側からみて凹状のロールである谷部が３個出現するコルゲーションを備えるほかは、先の他の実施例と構成が同様であるので、重複する説明は省略する。
【００４１】
ダンパー６１は、コルゲーション部の隣接する山部および谷部の離間距離が一定であり、約２．０ｍｍである。一方で、ダンパー７１、および８１は、コルゲーション部の隣接する山部および谷部の離間距離が一定ではなく、コルゲーション部の中央部付近で最も大きく、内周傾斜部また外周傾斜部に至るにつれて順次小さくなっている。先に説明したいずれの実施例のダンパーのように、本発明のダンパーは、コルゲーションを構成するロールの数が変わっても、振幅変位の直線性と、前後振幅の対称性とを両立させることができる。なお、このように、ダンパーのコルゲーション部のロール数は、上記の実施例の場合に限られるものではなく、スピーカーの口径の大きさの変更に伴って、ダンパーの大きさにより更に多くても良い。
【実施例５】
【００４２】
図８は、他の実施例のダンパー９１について説明する半径方向の断面図である。ダンパー９１は、先の実施例１のダンパー１の外周部３の形状を変更し、いわば平ダンパーを立ち上がりダンパーにしたものであり、外周部９３が、外周傾斜部９９の外周側端部９７から延設される連結部９３ｃ備え、立ち上がりダンパーの立ち上がり部を形成している。連結部９３ｃは、外周傾斜部９９の外周側端部９７と、（図示しない）フレームとの接合部９３ｂとを、断面形状において直線で連結する。また、接合部９３ｂは、支持可動部９４の基準平面９４ａに含まれない他の基準平面９３ａに含まれる。
【００４３】
本実施例のダンパー９１のように、本発明のダンパーは、その外周部が、立ち上がりダンパーの立ち上がり部、もしくは、立ち下がりダンパーの立ち下がり部を有していても良い。半径方向の断面形状におけるコルゲーション部９６の両端の内周傾斜部９８および外周傾斜部９９が、平面状で同一の基準平面９４ａ上に規定されているので、平ダンパーである実施例１のダンパー１と同等の振幅変位の直線性と、前後対称性を確保することができる。また、外周部９３が、立ち上がり部、もしくは、立ち下がり部を形成するので、振幅変位が大きなスピーカーを設計する場合であっても、磁気回路もしくはフレームとダンパーとの距離を大きく設計でき、磁気回路もしくはフレームとダンパーとが接触して異音を生じる等の問題が改善される。
【００４４】
なお、本発明のスピーカー用ダンパーの基材は、綿およびポリエステル繊維、もしくはアラミド繊維の織布もしくは不織布でもよく、含浸する樹脂も、フェノール樹脂、もしくは、メラミン樹脂でもよい。本発明は、コルゲーションを備えた熱硬化性樹脂を含むダンパーであれば、基材の材料に制限されない。
【産業上の利用可能性】
【００４５】
本発明のダンパーは、これを用いたスピーカーに限られず、ダンパーと、ボイスコイル等の振動系を備える他の加振器や、センサー等の動電型の電機−機械変換器にも適用が可能である。ダンパーの内周部に接合するのは、磁気回路であってもよく、磁気回路が振動する加振器に適する。
【図面の簡単な説明】
【００４６】
【図１】本発明の好ましい実施形態によるダンパー１を用いたスピーカー１０について説明する断面図である。（実施例１）
【図２】本発明の好ましい実施形態によるダンパー１について説明する図である。（実施例１）
【図３】従来のダンパー２１について説明する図である。（従来例１）
【図４】本発明の他の好ましい実施形態によるダンパー３１について説明する図である。（実施例２）
【図５】本発明の他の好ましい実施形態によるダンパー４１について説明する図である。（実施例３）
【図６】本発明の他の好ましい実施形態によるダンパー５１について説明する図である。（実施例３）
【図７】本発明の他の好ましい実施形態によるダンパー６１、７１、および８１について説明する図である。（実施例４）
【図８】本発明の他の好ましい実施形態によるダンパー９１について説明する図である。（実施例５）
【符号の説明】
【００４７】
１、１１、２１、３１、４１、５１、６１、７１、８１、９１      ダンパー
２            内周部
３            外周部
４            支持可動部
５            内周平坦部
６            コルゲーション部
７            外周平坦部
８            内周傾斜部
９            外周傾斜部
１０          スピーカー
１１          磁気回路
１２          フレーム
１３          ボイスコイル
１４          ボビン
１５          振動板
１６          エッジ
【図１】
0004505689.tif 000002
【図２】
0004505689.tif 000003
【図３】
0004505689.tif 000004
【図４】
0004505689.tif 000005
【図５】
0004505689.tif 000006
【図６】
0004505689.tif 000007
【図７】
0004505689.tif 000008
【図８】
0004505689.tif 000009